(57)【要約】【課題】互いに取付けられて、より強力な結合デバイスを形成する２つのデバイスを含むモジュラー携帯デバイスシステムを提供する。【解決手段】結合デバイスは、ユーザのポケット、財布、ブリーフケース、バックパック等に適合するようなサイズを有している。第１のデバイスは、アドオンデバイスと嵌合し、かつ接続して固有の追加機能を得るように構成された単独で動作可能な高機能デバイスである。ベースデバイスは、アドオンデバイスにおける対応するカメラ開口部２２１に収まるようなサイズを有する円形カメラ突起２１９と、１つまたは２つ以上のアライメントソケット２１１，２１３とを含む。この構成により、カメラ突起２１９がカメラ開口部２２１内に配置され、１つまたは２つ以上のソケットがアドオンデバイス上の対応する１つまたは２つ以上のアライメントピン２１５，２１７と嵌合すると、２つのデバイスは電気的に接続され、かつ物理的に位置合わせされる。【選択図】  図２
2017045043.tif 000002
【特許請求の範囲】
【請求項１】
モジュラーデバイスシステムであって、
少なくともプロセッサ、ディスプレイ、及びカメラを有するベースの携帯電子通信デバイスであって、前記ベースの携帯電子通信デバイスは、略フラットな形状の第１の表面を有し、前記カメラは、前記第１の表面から延出している突起を形成し、コンタクトアレイが複数の電気コンタクトを露出している、前記ベースの携帯電子通信デバイスと、
少なくともプロセッサ及び第２の表面上のコンタクトアレイを有するアドオン電子デバイスであって、前記第２の表面は、前記ベースの携帯電子通信デバイスの前記第１の表面から延出しているカメラ突起を受け入れるサイズを有する開口部を有し、前記ベースの携帯電子通信デバイスの前記第１の表面から延出している突起を前記アドオン電子デバイスの前記第２の表面上の開口部内に配置し、前記第２の表面上の前記コンタクトアレイを前記第１の表面上の前記コンタクトアレイに嵌合させることにより前記ベースの携帯電子通信デバイスの前記第１の表面と前記アドオン電子デバイスの前記第２の表面とが物理的に結合したときに、前記ベースの携帯電子通信デバイスと前記アドオン電子デバイスとが組み合わされるようにする、前記アドオン電子デバイスと
を備えるモジュラーデバイスシステム。
【請求項２】
前記第１及び第２の表面のうちの一方が、１つまたは２つ以上のピンを含み、前記第１及び第２の表面のうちの他方が、前記１つまたは２つ以上のピンとミラー配置関係にある１つまたは２つ以上のソケットを含み、前記第１の表面の前記カメラ突起が前記第２の表面上の開口部内に配置され、前記第２の表面上の前記コンタクトアレイが前記第１の表面上の前記コンタクトアレイに嵌合されるとき、前記１つまたは２つ以上のピンの各々が前記１つまたは２つ以上のソケットの対応する１つに収まる、請求項１に記載のモジュラーデバイスシステム。
【請求項３】
前記ベースの携帯電子通信デバイスと前記アドオン電子デバイスとを結合位置に保持するために、前記第１の表面は、スチールからなり、前記第２の表面は、１つまたは２つ以上の磁石を含む、請求項１に記載のモジュラーデバイスシステム。
【請求項４】
前記１つまたは２つ以上の磁石の各々は、磁石の磁界を前記第２の表面から外方に指向させる鉄を含む凹部を含む、請求項３に記載のモジュラーデバイスシステム。
【請求項５】
前記第２の表面は、前記１つまたは２つ以上の磁石を覆う非鉄化粧カバーを含む、請求項３に記載のモジュラーデバイスシステム。
【請求項６】
前記第１の表面上の前記カメラ突起及び前記第２の表面上の開口部は、円形である、請求項１に記載のモジュラーデバイスシステム。
【請求項７】
前記第１の表面上の前記カメラ突起及び前記第２の表面上の開口部は、非円形である、請求項１に記載のモジュラーデバイスシステム。
【請求項８】
前記第１の表面上の前記カメラ突起は、カメラフラッシュを含む、請求項１に記載のモジュラーデバイスシステム。
【請求項９】
前記第１の表面上の前記カメラ突起は、距離計を含む、請求項１に記載のモジュラーデバイスシステム。
【請求項１０】
ベースの携帯電子通信デバイスを含むモジュラーデバイスシステムであって、
前記ベースの携帯電子通信デバイスは、
略フラットな形状の第１の表面を有するハウジングと、
プロセッサと、
ディスプレイと、
前記第１の表面から延出する突起を形成するカメラと、
複数の電気コンタクトを含む、前記第１の表面上のコンタクトアレイとを含み、カメラ突起及びコンタクトアレイは、対応するカメラ開口部及び対応するコンタクトアレイを有する表面を有するアドオンデバイスが前記ベースの携帯電子通信デバイスの前記略フラットな形状の第１の表面と結合することが可能となるようなサイズを有し、かつ可能となるように構成されている、モジュラーデバイスシステム。
【請求項１１】
前記ベースの携帯電子通信デバイスの前記略フラットな形状の第１の表面は、前記アドオンデバイスが前記略フラットな形状の第１の表面と結合するときに、前記アドオンデバイス上の対応する１つまたは２つ以上のピンと係合するように構成された１つまたは２つ以上のソケットを含む、請求項１０に記載のモジュラーデバイスシステム。
【請求項１２】
前記略フラットな形状の第１の表面は、スチールからなる、請求項１０に記載のモジュラーデバイスシステム。
【請求項１３】
前記カメラ突起は、円形である、請求項１０に記載のモジュラーデバイスシステム。
【請求項１４】
前記カメラ突起は、非円形である、請求項１０に記載のモジュラーデバイスシステム。
【請求項１５】
前記カメラ突起は、カメラフラッシュを含む、請求項１０に記載のモジュラーデバイスシステム。
【請求項１６】
前記カメラ突起は、距離計を含む、請求項１０に記載のモジュラーデバイスシステム。
【請求項１７】
ベースデバイスと結合するアドオン電子デバイスを含むモジュラーデバイスシステムであって、前記アドオン電子デバイスは、
略フラットな表面を有するハウジングと、
プロセッサと、
前記略フラットな表面上のコンタクトアレイと、
前記アドオン電子デバイスのコンタクトアレイとミラー対称配置されたコンタクトアレイを有するベースの携帯電子通信デバイス上のカメラ突起を受け入れるサイズを有する、略平坦な表面における開口部とを含み、前記カメラ突起が前記開口部内に配置され、前記コンタクトアレイ及びミラー対称配置されたコンタクトアレイが接続されたとき、前記アドオン電子デバイス及び前記ベースデバイスが単一の一体化されたデバイスを形成する、モジュラーデバイスシステム。
【請求項１８】
前記略フラットな表面において前記ベースデバイスを前記アドオン電子デバイスに対して保持する１つまたは２つ以上の磁石を備える、請求項１７に記載のモジュラーデバイスシステム。
【請求項１９】
前記１つまたは２つ以上の磁石の各々は、磁石の磁界を前記略フラットな表面から外方に指向させる鉄を含む凹部を含む、請求項１８に記載のモジュラーデバイスシステム。
【請求項２０】
前記略フラットな表面は、前記１つまたは２つ以上の磁石を覆う非鉄化粧カバーを含む、請求項１８に記載のモジュラーデバイスシステム。
【発明の詳細な説明】
【技術分野】
【０００１】
本発明は、概してモバイル通信デバイスに関し、より詳しくは、デバイスモジュールをベースデバイスに結合させるためのシステムおよび方法に関する。
【背景技術】
【０００２】
スマートフォン等のセルラーデバイスは、より薄くかつ小さくなり続けるにつれて、多くの課題が持ち上がっている。例えば、そのようなデバイスの機能は、サイズ制限により限られたものとなる。実際、デバイスの最小化は、デバイスの薄さそのものによって、サイズを小さくすることが適切でない部品の使用を除外するという点に到達する。
【０００３】
しかしながら、薄肉化デバイスにおける本質的な問題、即ち、デバイスの寸法が縮小されるにつれて機能を失うことによる問題のいくつかをモジュラーシステムが克服できると発明者は考えた。そのようなモジュラースマートフォンシステムにおいて、第１のデバイスが第２のデバイスに物理的に取付けられて、２つのデバイスのうちのいずれか１つが単独のときよりもより機能性が高い複合デバイスとなる。複合デバイスが末端消費者にとってポケットサイズで魅力的であり続けるために、個々のデバイスは、理想的には共に薄くかつ軽量である。
【０００４】
通常、この後者の要求は、高性能のカメラを第１のデバイスに組み入れることを除外し得る。その理由は、カメラは、カメラのレンズと画像センサとの間に適切な焦点距離を得るために有意な厚さを必要とするからである。しかしながら、開示された原理は、高性能カメラを第１のデバイスに組み入れることを可能にする、２つのデバイスを取付けて位置合わせするためのシステム及び方法を提供する。
【０００５】
本開示は、背景技術の欄で示したある欠点を解消することができるが、そのような利点は開示された原理の範囲を限定したり、特許請求の範囲において明確に示した範囲を除き、添付された特許請求の範囲を限定するものではないと理解されるべきである。更に、背景技術の欄における技術の説明は、発明者自身の見解、考察、思考によるものであり、現在公知となっている技術を分類したり、包括的に要約することを意図していない。従って、発明者は、背景技術の欄が自認した従来技術または推定される従来技術であることを明確に放棄している。更に、望まれる今後の対応の認識は、発明者自身の見解及び発想を反映しており、技術分野において承認されている願望を示しているものと推定されるべきではない。
【図面の簡単な説明】
【０００６】
添付された特許請求の範囲は、独自性を有する本技術を説明しているが、目的および利点を伴うこれらの技術は、添付の図面とともに以下の詳細な説明から十分に理解し得る。
【０００７】
【図１】現時点で開示された原理が組み込まれた実施形態に関連するデバイス部品の例示的な構成の簡略化された概略図。
【０００８】
【図２】開示された原理の実施形態よる第１のデバイスの裏面及び第２のデバイスの裏面を示す第１のデバイス及び第２のデバイスの図。
【０００９】
【図３】開示された原理の実施形態よる第１のデバイス及び第２のデバイスの側面図。
【００１０】
【図４】開示された原理の実施形態よる第２のデバイスのカメラホールを横断する第１のデバイスのカメラ突起を示す合体したデバイスの垂直中心線に沿った側部部分断面図。
【００１１】
【図５】開示された原理の実施形態よる装飾シートを有するおよび装飾シートを有しないデバイスを示す第２のデバイスの一組の正面図。
【００１２】
【図６】開示された原理の実施形態よるデバイスの部分破断斜視図。
【発明を実施するための形態】
【００１３】
開示された原理の更なる説明を行う前に、以下の説明についての読者の理解の助けとなる概要について説明する。上記したように、発明者のモジュラーデバイスは、互いに取付けられてより強力な結合デバイスを形成するように構成された２つのデバイスを含む。結合デバイスは、ユーザのポケット、財布、ブリーフケース、バックパック等に適合するようなサイズを概して有している。
【００１４】
一実施形態において、第１のデバイスは、ユーザが期待する、例えば、電話、テキスト入力、Ｅメール、スケジューリング等の全ての基本的な機能を提供しながら、ごく僅かな厚さおよび重量からなる単独で動作可能な高機能セルラー電話またはスマートフォンである。この実施形態において、第２のデバイスは、単独で動作可能であるが、より重要なことには、第１のデバイスと接続し、かつ固有の追加機能を提供するように構成された電子デバイスであり得る。追加機能は、オーディオ性能、負荷バッテリー電力、メディアプロジェクション性能等を増加し得る。
【００１５】
基本デバイスとも称される第１のデバイスは、デバイスの端部から端部及び側面から側面に基本的に延在する薄いスチールプレートから作製された裏面を備える。スチールプレートは、一端または両端が切り取られて、例えば、アンテナ機能を提供するか、又はサポートし得る。開示された例示的な実施形態において、第１のデバイスは、背部スチール表面から外方に延伸する円形カメラ突起を備える。一実施形態において、この突起は、メインカメラ及び２個のフラッシュＬＥＤを含み、より速い焦点合わせのためのレーザー距離計をも含み得る。他のカメラ突起の形状もここでは使用可能であり、かつ想定されるが、例示のために、ここでは円形構成が用いられる。
【００１６】
最後に、第１のデバイスは、スチールプレートの境界内の位置にあるコンタクトアレイを備えており、２つのデバイスが物理的に接続されるときに第２のデバイスが第２デバイス自身の同様のコンタクトアレイを使用して第１のデバイスと相互作用できるようになっている。
【００１７】
デバイス間で接続を形成し維持することに関して、第２のデバイスは、内面を有し、その内面上で薄い非鉄シートが１つまたは２以上の磁石を保持している。これらの磁石は、スチールシュラウド内に収容されて、磁束が両側に拡張されるのではなく、磁石部品の一方の側に集中するようになっている。第２のデバイスは、第１のデバイスの円形カメラ突起に応じたサイズを有し、かつ円形カメラ突起に対して位置合わせされた円形ホールを備えて、２つのデバイスが互いに取付けられたときに、第１のデバイスのカメラ突起が第２のデバイスの円形ホール内に収まるようになっている。この特徴は、２つのデバイスが磁気的に取付けられるときに２つのデバイス間の重要なアライメント特徴である。換言すれば、第２のデバイスの円形ホール内の第１のデバイスのカメラ突起の配置によって、磁石が作用しているときに、２つのデバイスが側面から側面または端部から端部に互いにスライドするのが防止される。
【００１８】
上記したように、デバイスは、接続する際にアライメント機能の役割を果たすコンタクトアレイを含む。更に、一実施形態において、１つまたは２つ以上の追加のアライメント特徴がデバイス間に採用される。これらは、対向するデバイスにおける凹所と係合する、第１のデバイスまたは第２のデバイスのいずれかからの突起であり得る。これらの追加のアライメント特徴は、２つの機能を提供する。第１に、追加のアライメント特徴は、デバイスが互いに取付けられたときに円形カメラ突起を中心とする２つのデバイスの回転を防止する。第２に、追加のアライメント特徴により、コンタクトパッドの近くに局所的に取付けるのみという磁気コネクタの使用が可能となる。このことは、通常では、デバイスを位置合わせするのに十分ではない。
【００１９】
一実施形態において、追加のアライメント特徴は、１つの凹所が第１のデバイスのコネクタアレイの各側部にある２つの凹所と、１つのピンが第２のデバイスの嵌合コネクタアレイの各側部にある２つのピンとを含む。２つのデバイスが共に結合して位置決めされると、第２のデバイスにおける１つまたは２つ以上の磁石が第１のデバイスのスチールプレートを引き付け、２つの部分間に磁力がもたらされる。第１のデバイスのカメラ突起は、第２のデバイスのカメラホールを通過し、コンタクトアレイの近くの、２つのデバイスの第２のアライメント特徴と共に２つのデバイス間の相対運動を防止する。カメラホールを通過するカメラ突起は、第２のデバイスが第１のデバイスに取付けられているときに、主デバイスのカメラ、フラッシュ、レーザー距離計を使用可能にする。
【００２０】
この要旨を考慮して、添付の図面と共により詳細な説明に移ると、本開示の技術及び構造が適切なコンピュータ環境において実施されるものとして図示されている。以下のデバイスの記載は、開示された原理の実施形態及び例に基づくものであり、ここでは明確に記載されていない代替的な実施形態に関して特許請求の範囲を制限するものと見なされるべきではない。従って、図１は、開示された原理の実施形態を具体化し得る例示的なモバイルデバイスを図示しており、他のデバイスのタイプも使用され得ることが理解されるであろう。
【００２１】
図１の回路図は、本開示の側面が具体化される環境の一部を形成する例示的な部品グループ１１０を示し、部品グループ１１０は、第１のデバイス及び第２のデバイスのうちの少なくとも一方に対応するデバイスにおいて使用され得る例示的な部品を含む。ユーザの嗜好、部品の有用性、価格、及び他の考慮すべき事項に応じて追加の部品または代替的な部品が任意の具体化において使用され得るということが理解されるであろう。
【００２２】
図示した実施形態において、部品グループ１１０は、ディスプレイスクリーン１２０、アプリケーション（例えば、プログラム）１３０、プロセッサ１４０、メモリ１５０、音声及びテキスト入力装置等の１つまたは２つ以上の入力部品１６０、及びテキスト及び可聴出力装置等の１つまたは２つ以上の出力部品１７０（例えば、１つまたは２つ以上のスピーカ）を含む。
【００２３】
プロセッサ１４０は、マイクロプロセッサ、マイクロコンピュータ、特定用途向け集積回路他のいずれかであり得る。例えば、プロセッサ１４０は、任意の所望のファミリーまたは製造業者からの１つまたは２つ以上のマイクロプロセッサまたはコントローラによって実施することができる。同様に、メモリ１５０は、プロセッサ１４０としての同じ集積回路上に存在し得る。追加的または代替的に、メモリ１５０は、ネットワークを介して例えば、クラウドベースのストレージを介してアクセスされ得る。メモリ１５０は、ランダムアクセスメモリ（即ち、シンクロナスダイナミックランダムアクセスメモリ（ＳＤＲＡＭ）、ダイナミックランダムアクセスメモリ（ＤＲＡＭ）、ラムバスダイナミックランダムアクセスメモリ（ＲＤＲＡＭ（登録商標））、または他のタイプのランダムアクセスメモリデバイス）を含む。追加的または代替的に、メモリ１５０は、リードオンリーメモリ（即ち、ハードドライブ、フラッシュメモリまたは任意の所望のタイプのメモリデバイス）を含み得る。
【００２４】
メモリ１５０に格納される情報は、１つまたは２つ以上のオペレーティングシステムまたはアプリケーションに関連するプログラムコードと、情報のデータ（例えば、プログラムパラメータ、プロセスデータ他）とを含む。オペレーティングシステム及びアプリケーションは、非一時的なコンピュータ読み取り可能な媒体（例えば、メモリ１５０）に格納された実行可能な命令により典型的に実施されて、電子デバイスの基本的な機能を制御する。そのような機能は、各種内部の部品間の相互作用及びメモリ１５０へのアプリケーション及びデータの格納及びメモリ１５０からのアプリケーション及びデータの取り出しを含み得る。
【００２５】
更に、アプリケーション１３０に関して、アプリケーション１３０は、ファイルシステムサービス及びメモリ１５０に格納された保護されたデータ及び保護されていないデータの処理等のより固有の機能を提供する。多くのアプリケーションがユーザデバイス１１０の標準の機能または要求される機能を提供し得るが、他のケースでは、アプリケーションは、任意の機能または特定の機能を提供し、かつサードパーティのベンダーまたはデバイス製造業者によって提供され得る。
【００２６】
最後に、情報のデータ（例えば、プログラムパラメータ及びプロセスデータ）に関して、非実行可能な情報は、オペレーティングシステムによって参照され、操作され、または書き込まれる。そのような情報のデータは、例えば、製造中にデバイスにプログラムされたデータ、デバイスによって作製されるか、またはユーザによって加えられたデータ、またはデバイスの動作の進行中に通信するサーバまたは他のデバイスにアップロードされるか、そこからダウンロードされるか、またはアクセスされる各種の情報のいずれかを含むことができる。
【００２７】
部品グループ１１０を有するデバイスは、撮影が可能なソフトウェア及びハードウェアのカメラ部品１８０を含む。そのようなカメラ部品１８０は、典型的には固定焦点の画像を取得する機能を少なくとも提供し、一実施形態では、長距離焦点合わせ及び可変焦点合わせの機能をも提供し得る。
【００２８】
一実施形態において、バッテリーセルまたは燃料セル等の電源１９０をデバイス及びデバイスの部品１１０に電力を提供するために含むようにしてもよい。内部部品１００の全てまたはいくつかは、内部バス等の共有または専用の内部通信データリンク１９５を介して互いに通信する。
【００２９】
一実施形態において、プロセッサ１４０及びメモリ１５０がデバイス１１０の他の部品と相互作用してある機能を実行するようにデバイス１１０はプログラムされている。プロセッサ１４０は、各種モジュールを含むか、または実施し、かつアプリケーションを起動すること、データを転送すること、グラフィカルユーザインタフェースオブジェクトによって切替えること（実行可能なアプリケーションとリンク付けされた各種ディスプレイアイコンによって切替えること）等の種々の動作を開始するためのプログラムを実行する。
【００３０】
モジュラーデバイスシステムの関係で、ベースモジュール及びアドオンモジュール（ａｄｄ−ｏｎ  ｍｏｄｕｌｅ）の各々は、図１に関して示され、かつ説明された部品のいくつかまたは全てを有し得る。例えば、ベースデバイスは、図示された全ての部品を含み、アドオンモジュールはディスプレイスクリーン１２０及びカメラ部品１８０を省略してもよい。同様に、ベースデバイスは、ネットワーク機能を含み、一方アドオンモジュールはそのような機能を有していなくてもよい。本明細書において、ベースデバイス及びアドオンモジュールの両方は、単独で動作可能か否かにかかわらず、モバイル電子デバイスとして見なされ得る。このような使用法の例としては、第２のデバイス（アドオンモジュール）が第１のデバイス（ベースデバイス）にドッキングすることが挙げられる。
【００３１】
図２に移り、この図は、開示された原理の一実施形態による第１のデバイス２００の裏面及び第２のデバイス２０１の嵌合面２０５を示す、第１のデバイス２００及び第２のデバイス２０１の簡略図を図示している。図示された例において、各デバイス２００、２０１は、コネクタアレイ２０７、２０９を含む。各コネクタアレイ２０７，２０９は１６ピンコネクタアレイとして示されているが、他のピンの数を用いてもよいことは理解されるであろう。図面では詳細に示されていないが、コネクタアレイ２０７、２０９のうちの一方は、雄型ピンを含み、コネクタアレイ２０７、２０９のうちの他方は、対応する雌型のソケットを典型的に含む。
【００３２】
図示された実施形態において、一組のアライメントソケット２１１、２１３が、第２のデバイス２０１上の嵌合アライメントピン２１５、２１７と嵌合するために、第１のデバイス２００上のコネクタアレイ２０７と隣接して設けられている。第１のデバイス２００上のカメラ突起２１９によって第３のアライメント箇所が提供され、そのカメラ突起２１９は、第２のデバイス２０１における嵌合円形開口部２２１と適合するように構成され、かつ配置されている。一実施形態において、カメラ突起２１９は、デバイス２００のメインカメラと、１つまたは２つ以上のフラッシュＬＥＤとを含む。一実施形態において、カメラ突起２１９は、メインカメラのより速い焦点合わせのためのレーザー距離計をも含む。
【００３３】
上記したように、他のカメラ突起の形状が利用可能であり、かつ想定されるが、ここでは、円形状が例示のために使用される。任意の実施における許容範囲に応じて、非円形カメラ突起が、ある程度の回転アライメントを提供するとともに、他のアライメント特徴の必要性について制限するか、または除外し得る。
【００３４】
一実施形態において、一組の磁石２２３、２２５、２２７、２２９が第２のデバイス２０１の前面に埋め込まれている。これらの磁石２２３、２２５、２２７、２２９は、化粧シートの内面上に保持され得る。これらの磁石は、スチールシュラウド内に収容されて、磁束が両側に拡張されるのではなく、磁石部品の一方の側に集中するようになっている。一実施形態において、これら磁石２２３、２２５、２２７、２２９は、第１のデバイス２００の裏面２０３のスチール面を引き付けて、デバイス２００、２０１がごく近接すると、デバイス２０１、２０１を共に保持する。磁石２２３、２２５、２２７、２２９は、セラミック、ネオジム、または他の種類のものからなってもよい。
【００３５】
図３は、開示された原理の一実施形態による第１のデバイス２００及び第２のデバイス２０１の側面図である。図３の側面において簡単に示すように、第１のデバイス２００と第２のデバイス２０１とが共にドッキングしているとき、カメラ突起２１９は、第２のデバイス２０１における嵌合開口部２２１に収まる。更に、この構成において、第１のデバイス２００のコンタクトアレイ２０７は、第２のデバイス２０１のコンタクトアレイ２０９と嵌合する。
【００３６】
理想的には、結合デバイスは、嵌合コンタクトアレイ２０７、２０９を用いて１つのデバイスとして動作する。特に、コンタクトアレイ２０７，２０９は、一実施形態において、データ、命令、電力、制御信号、及びその他を交換するために使用される。
【００３７】
図４を参照すると、この図は、結合デバイス２００、２０１の垂直中央線に沿った断面図を示し、第２のデバイス２０１のカメラ開口部２２１に嵌まっている第１のデバイス２００のカメラ突起２１９を図示している。第１のデバイス２００と第２のデバイス２０１との間の境界が破線で示されている。図に示すように、第１のデバイス２００は、第１のデバイス２００のハウジング４１７内において、カメラ４０１、カメラフラッシュ４０９，バッテリー４０３、ディスプレイスクリーン４０７、及びイヤホンスピーカー４１１を含む。本開示の理解に必須ではないスタンドオフ（ｓｔａｎｄ−ｏｆｆ）、回路基板、及び他の特徴等の他の部品が説明の明確さのために省略されていることが理解されるであろう。
【００３８】
第２のデバイス２０１は、第２のデバイス２０１のハウジング４１９内において、バッテリー４０５、カメラ開口部２２１、及び磁石４１５（図３を参照して説明した４個の磁石２２３、２２５、２２７、２２９のうちの１つ）を含む。この場合も同様に、本開示の理解に必須ではないスタンドオフ、回路基板、及び他の特徴等の他の部品が説明の明確さのために省略されている。
【００３９】
図５は、第２のデバイス２０１の簡略化された１セットの正面図を示し、磁石を覆う化粧シート５００を有している及び有していないデバイスを示す。特に、一番左の図は、磁石を覆い隠す化粧シート５００が貼り合わせられている状態の第２のデバイス２０１の前面２０５を示し、一番右の図は、化粧シート５００が持ち上げられて露出された第２のデバイス２０１の前面２０５を示す。化粧シート５５０が持ち上げられた状態では、磁石２２３、２２５、２２７、２２９を容易に確認することができる。化粧シート５００は、簡単に理解できるように半透明の状態で示されているが、化粧シート５００は半透明である必要はなく、代わりに、全体的にまたは部分的に透明、半透明または不透明であってもよい。
【００４０】
図６は、開示された原理の一実施形態による第２のデバイス２０１の部分破断斜視図である。この図において、化粧シート５００は、第２のデバイス２０１における円形開口部２２１と整合していることが分かる。更に、４個の磁石２２７のうちの１つがこの図において確認できる。化粧シート５００は、ブランドマーク、装飾、使用説明、または他の材料が印刷されるか、インプリントされるか、またはエンボス加工されてもよい。
【００４１】
モジュラー環境における改良されたデバイス相互連結のためのシステム及び方法がここで開示されていることを理解できるであろう。しかしながら、本開示の原理が適用され得る多くの可能性がある実施形態に観点で、図面に関して本明細書に記載された実施形態が図解のためであり、特許請求の範囲を制限するものと受け取られるべきではないものと認識されるべきである。従って、本明細書に記載された技術は、以下の特許請求の範囲に含まれ、かつ特許請求の範囲の均等物となる全ての実施形態を想定している。
【図１】
2017045043.tif 000003
【図２】
2017045043.tif 000004
【図３】
2017045043.tif 000005
【図４】
2017045043.tif 000006
【図５】
2017045043.tif 000007
【図６】
2017045043.tif 000008